(57)【要約】【課題】その空間的位置に対応する複数のタッチセルを含むタッチスクリーン上に、プライベートデータを入力する表示を作成するための装置及び方法を提供する。【解決手段】予め定められた操作のための表示をタッチスクリーン上に行なうためのグラフィカルユーザインターフェイスであって、複数の入力領域を含むグラフィカルユーザインターフェイスを作成する。グラフィカルユーザインターフェイスに対応するタッチセルを変更するために、予め定められた操作を行なうために表示されたグラフィカルユーザインターフェイスの特性を変化させる。変化したユーザインターフェイスはタッチスクリーン上に表示される。【選択図】図３
2011018321.tif 000002
【特許請求の範囲】
【請求項１】
プライベートにデータを入力するための装置であって、
データを入力するための複数のタッチセルを有するタッチスクリーンと、
予め定められた操作のための表示を上記タッチスクリーン上に行なうための、複数の入力領域を含むグラフィカルユーザインターフェイスを作成するように構成されているプロセッサ部と、
上記プロセッサ部及び上記タッチスクリーンに動作的に連結されたプライバシー部と、を備え、
上記プライバシー部は、上記グラフィカルユーザインターフェイスに対応する上記タッチセルを変更するために、予め定められた操作のために上記タッチスクリーン上に表示される、上記グラフィカルユーザインターフェイスの特性を変化させるように構成されている、装置。
【請求項２】
上記プライバシー部は、上記タッチスクリーン上の上記グラフィカルユーザインターフェイスの空間的位置を変化させるように構成されている、請求項１に記載の装置。
【請求項３】
上記プライバシー部は、同一の上記複数の入力領域を有する複数のグラフィカルユーザインターフェイスを作成するように構成されており、上記複数のグラフィカルユーザインターフェイスは、上記タッチスクリーン上に表示されたとき、複数のグラフィカルユーザインターフェイスのそれぞれの入力領域が上記タッチスクリーンの異なるタッチセルに対応するように配列されている、請求項１又は２に記載の装置。
【請求項４】
上記プロセッサ部は、上記複数の入力領域を、上記複数のタッチセルのうち第１のグループのタッチセルに対応するように構成し、上記プライバシー部は、上記入力領域を、上記複数のタッチセルのうち第２のグループのタッチセルに対応するように再構成するものであり、上記第２のグループのタッチセルは上記第１のグループのタッチセルとは異なる、請求項１〜３のいずれか１項に記載の装置。
【請求項５】
上記プライバシー部は、少なくとも２つのデータが上記タッチスクリーン上に入力される間にグラフィカルユーザインターフェイスの大きさ、形状及び位置のうち少なくとも一つを変化させるように構成されている、請求項１〜４のいずれか１項に記載の装置。
【請求項６】
上記グラフィカルユーザインターフェイスの特性の変化は、グラフィカルユーザインターフェイスのランダムな変化、ユーザ識別に基づくグラフィカルユーザインターフェイスの変化、ユーザの嗜好に基づくグラフィカルユーザインターフェイスの変化、及びオペレーターの嗜好に基づくグラフィカルユーザインターフェイスの変化のうち少なくとも一つの変化を含む、請求項１〜５のいずれか１項に記載の装置。
【請求項７】
プライベートデータを入力するための装置であって、
データを入力するための複数のタッチセルを有するタッチスクリーンと、
プライベートデータを入力するための複数のグラフィカルユーザインターフェイスを作成するように構成されており、それぞれの上記グラフィカルユーザインターフェイスが同一の入力機能を含むプライバシー部と、
上記タッチスクリーン上に上記複数のグラフィカルユーザインターフェイスを同時に表示するように構成されている表示部と、を備える、装置。
【請求項８】
上記プライバシー部は、上記複数の入力領域のうち、少なくとも２つの入力領域間で、同一でない高さ及び同一でない幅のうち少なくともいずれかを形成するように構成されている、請求項１〜７のいずれか１項に記載の装置。
【請求項９】
上記プライバシー部は、上記複数の入力領域のそれぞれの入力領域のアスペクト比を変化させるように構成されている、請求項１〜８のいずれか１項に記載の装置。
【請求項１０】
タッチスクリーン上にプライベートデータを入力するための表示画面を作成する方法であって、上記タッチスクリーン上のグラフィカルユーザインターフェイスの空間的位置に対応する複数のタッチセルを含み、
予め定められた操作のための表示を上記タッチスクリーン上に行なうための、複数の入力領域を有するグラフィカルユーザインターフェイスを作成するステップと、
上記グラフィカルユーザインターフェイスに対応する上記タッチセルを変更するために、予め定められた操作のために上記タッチスクリーン上に表示される、上記グラフィカルユーザインターフェイスの特性を変化させるステップと、
変化させたグラフィカルユーザインターフェイスを上記タッチスクリーン上に表示させるステップと、を含む方法。
【請求項１１】
タッチスクリーン上にプライベートデータを入力する方法であって、上記プライベートデータは少なくとも二つの入力データを含み、
上記プライベートデータを入力するための複数のグラフィカルユーザインターフェイスであって、それぞれの上記グラフィカルユーザインターフェイスが同一の入力機能を有するグラフィカルユーザインターフェイスを作成するステップと、
上記タッチスクリーン上に上記複数のグラフィカルユーザインターフェイスを同時に表示するステップと、
上記少なくとも二つの入力データのうち一つを入力するために、上記複数のグラフィカルユーザインターフェイスのうち一つのグラフィカルユーザインターフェイスの上記入力機能を用いるステップと、
上記少なくとも二つの入力データのうち、上記入力機能を用いるステップで入力した入力データでは無いもう一方の入力データを入力するために、上記複数のグラフィカルユーザインターフェイスのうち、上記入力機能を用いるステップで用いたものとは異なる一つのグラフィカルユーザインターフェイスの上記入力機能を用いるステップと、を含む方法。
【発明の詳細な説明】
【技術分野】
【０００１】
本発明は、例えば個人用識別番号（ＰＩＮ）等の機密データの表示装置に関する。このようなディスプレイは、例えば、現金自動支払機（ＡＴＭ）、支払端末、ラップトップコンピュータ、デスクトップモニタ、公衆情報表示装置等に用いてもよい。本明細書で説明するディスプレイ及びこれに関する方法は、ユーザにより入力されたデータを第三者が推定することを防止する。
【背景技術】
【０００２】
「ショルダーサーフィン」は、第三者が、ユーザにより入力されたデータを割り出すために覗き見る行為である。ショルダーサーフィンは、ほぼ一般に、犯罪者により現金自動支払機（ＡＴＭ）のユーザ及び支払端末のユーザの個人用識別番号（ＰＩＮ）を割り出すために用いられる。犯罪者は、ユーザのＰＩＮを以下の二つのうち一つの方法で割り出す。
（１）ユーザによるテンキーボードのボタンの押下（キーストローク（ｋｅｙｓｔｒｏｋｅ））を直接見る。又は、
（２）ユーザによるボタンの押下（キーストローク）のパターンを書き留めておき、このパターンをＰＩＮの割り出しに用いる。キーストロークのパターンを介してＰＩＮを割り出して認定することは、テンキーボードのキーの標準的な配置並びにキーパッドの大きさ、形状及び位置が一定であることにより可能となる。
【０００３】
プライバシー機能及びデータ入力のためのタッチスクリーンを有するディスプレイは、上記問題（１）の回避のために用いられ得る（つまり、第三者は、ディスプレイ上に示されたテンキーボタンのユーザによるキーストロークを直接見ることができない）。このディスプレイは、例えば、ＬＣＤ、ＯＬＥＤ、ＣＲＴ、プラズマ等であってもよい。ディスプレイ上のプライバシー機能は、例えば、ルーバー（Louver）、ソフトウェア処理、追加ＬＣＤ、レンズの配置、視差バリアの配置、視差バリア及びレンズの配置等によって達成されてもよい。プライバシー機能は、例えば、公衆ワイドビューとプライベートナロービューとを切り替え可能とすることであってもよい。プライバシー機能は、例えばプライベートモードが確実に実現するように固定されてもよい。タッチスクリーンは、抵抗型、容量型、フォトダイオードアレイのようにディスプレイに内蔵された光センサ、カメラモジュールのようにディスプレイへの外因的なものあってもよい。
【０００４】
プライバシー機能を有するディスプレイ及びデータ入力のタッチスクリーンは、第三者がユーザのＰＩＮを直接見ることを防ぐ。しかし、キーパッドが標準的なキーの配置を有し、キーパッドの大きさ、形状及び位置も一定である場合、第三者は、なお、ユーザによるキーストロークのパターンを介して取得することができる。
【０００５】
特許文献１〜３には、テンキーパッドを有し、プライベートデータであるＰＩＮの入力を可能にした格納式のスクリーンを使用することが記載されている。格納式のスクリーンはユーザによる行動を必要とし、結果として、第三者から自動的にプライバシーを守るわけではない。
【０００６】
特許文献４には、ユーザが身につける、プライベートデータであるＰＩＮの入力をするためのプライバシーシールドが記載されている。プライバシーシールドは第三者がＰＩＮの入力を割り出すことを妨げる。しかし、プライバシーシールドは、ユーザがＰＩＮ入力を見ることも妨げてしまう。多くのユーザが、ＰＩＮの入力を正しく行なうためにキーパッドの入力を見る必要があるため、結果として、この装置は広くは受け入れられていない。加えて、プライバシーシールドは自動的なプライバシー方法ではないこともあり、広くユーザが受け入れていない。
【０００７】
特許文献５には、プライベートデータであるＰＩＮの入力を行なうためのテンキーボードを組み合わせて用いられるプライバシーシールドの使用について記載されている。このプライバシーシールドは、ＰＩＮの入力をユーザ自身が見ることをある程度妨げる。多くのユーザが、ＰＩＮの入力を正しく行なうためにキーパッドの入力を見る必要があるため、結果として、この装置は広くは受け入れられていない。
【０００８】
特許文献６〜８には、非標準的な、プライベートデータの入力のためのテンキーボードのレイアウトを作成する方法が記載されている。非標準的なテンキーボードのレイアウトは、ユーザが実行するキーストロークのパターンを介して第三者がＰＩＮを推測することを妨げる。結果としてプライベートデータの入力方法が実現する。しかし、多くの人々が標準的なテンキーボード上でのキーストロークのパターンを介したＰＩＮを記憶している。多くのユーザが非標準的なテンキーボードに対面したときにＰＩＮを思い出すことができないので、結果として、このプライベートデータを入力する方法は、広くは受け入れられていない。
【０００９】
非特許文献１に記載のプライベートデータ入力の方法は、ＰＩＮ又はパスワードを、スクリーン上に表示された文字又は数字の配列をじっと見つめながら入力することをユーザに要求する。カメラシステムがユーザの見つめる方向を検知して、ＰＩＮかパスワードかを読み取る。ユーザがサングラス、オートバイクのサンバイザー等を身につけているときには使用できないので、このシステムは広くは受け入れられていない。弱視（Ａｍｂｌｙｏｐｉａ（ｌａｚｙ  ｅｙｅ））のような、目が治療中の状態のユーザにとっても機能しない。
【先行技術文献】
【特許文献】
【００１０】
【特許文献１】英国特許第２４２２３５５号明細書（２００８年７月２３日）
【特許文献２】英国特許第２４２２３５３号明細書（２００６年７月２６日）
【特許文献３】国際公開第０６０７７５８１号パンフレット（２００６年７月２７日）
【特許文献４】英国特許出願公開第２４２２１３５号明細書（２００６年７月１９日）
【特許文献５】米国特許第６５４３６８４号明細書（２００３年４月８日）
【特許文献６】国際公開第０２１０００１６号パンフレット（２００２年１２月２日）
【特許文献７】米国特許第７３９５５０６号明細書（２００８年７月１日）
【特許文献８】米国特許第７２９６２３３号明細書（２００７年１１月１３日）
【非特許文献】
【００１１】
【非特許文献１】Kumar, Garfinkel, Boneh and Winograd （Stanford University, Stanford, CA, USA）, Reducing shoulder-surfing by using gaze-based password entry”, ACM International Conference Proceeding Series; Vol. 229, Proceedings of the 3rd symposium on Usable privacy and security.
【発明の概要】
【発明が解決しようとする課題】
【００１２】
本発明の一つの目的は、タッチスクリーンのような入力デバイスに対する、より優れたプライベートデータの入力を提供することにある。
【００１３】
本発明の他の目的は、プライベートデータ入力を行なう際に、標準的なキーパッドのレイアウトを用いることにある。
【００１４】
本発明の他の目的は、非標準的なキーパッド機能を要求することなくプライベートデータ入力することを提供することにある。
【課題を解決するための手段】
【００１５】
プライバシー機能を有するディスプレイ及びタッチスクリーン入力が、標準的なキーパッドレイアウトを表示する新たな方法と組み合わされて用いられる場合、上記問題（２）は回避される（つまり、第三者は行なわれたキーストロークのパターンを介してユーザのＰＩＮを推察することができない）。本発明による標準的なキーパッドレイアウトの表示方法は、例えば、表示されたキーパッドのサイズの変化、表示されたキーパッドの形状の変化、表示されたキーパッドの位置の変化及び／又は標準的なキーパッドを同時に２以上表示することを含んでもよい。標準的なキーパッドが２以上同時に表示される場合、２以上のキーパッドは能動的データ入力のために用いられてもよい。標準的なキーパッドレイアウトの表示方法は、例えば、ユーザ毎、キーストローク毎、及び／又は予め定められた特定のユーザ毎に変えてもよい。ユーザ毎の予め定められたキーパッドに関していえば、キーパッドレイアウトは、データの入力（例えば、プライベート情報の入力に優先して行なわれるデータの入力）に用いられる機器のユーザによって予め定められていてもよく、（例えば、システムを最初に使用する前のｗｅｂインターフェイスを用いてシステムをセットアップする間に）、対応するサービスプロバイダーを介してユーザによって予め定められていてもよい。また、キーパッドレイアウトを表示する方法は、データを機器に入力する際に用いられるユーザのカードによって異ならせる方法であってもよい（例えば、カードに記録されているユーザＩＤに基づいて）。
【００１６】
本発明による方法及び装置によれば、標準的なキーパッドレイアウトを用いて自動的にプライベートデータ入力をすることができる。結果として、ユーザはプライベートデータ入力機能を起動させることを思い出す必要が無い。標準的なキーパッドレイアウトを使用することは、多くの人々が標準キーパッドレイアウトによるキーストロークパターンを介してＰＩＮを覚えていることから、有利である。本発明に係るプライベートデータを入力する方法は、利用し易く、非標準のアクションの実行をユーザに要求しない点で有利である。ここで説明するプライベートデータ入力の方法は、セキュリティ機能が無意識のうちに導入されるであろう、標準的で非プライベートなデータ入力方法に極めて深く関連するものである。データ入力について、ユーザにとって事実上目に見えない相当のレベルのセキュリティを付加するシステムは、広く受け入れられるという観点から有利である。本発明によるプライベートデータ入力の方法は、ユーザを肉体的及び／又は精神的な健康問題において差別しないことから有利である。
【００１７】
本発明の一側面において、プライベートにデータ入力する装置は、データを入力するための複数のタッチセルを有するタッチスクリーンと、予め定められた操作のための表示を上記タッチスクリーン上に行なうための、複数の入力領域を含むグラフィカルユーザインターフェイスを作成するように構成されているプロセッサ部と、上記プロセッサ部及び上記タッチスクリーンに動作的に連結されたプライバシー部と、を備え、上記プライバシー部は、上記グラフィカルユーザインターフェイスに対応する上記タッチセルを変更するために、予め定められた操作のために上記タッチスクリーン上に表示される、上記グラフィカルユーザインターフェイスの特性を変化させるように構成されている。
【００１８】
本発明の一側面において、上記プライバシー部は、上記タッチスクリーン上の上記ユーザインターフェイスの空間的位置を変化させるように構成されている。
【００１９】
本発明の一側面において、上記プライバシー部は、同一の上記複数の入力領域を有する複数のユーザインターフェイスを作成するように構成されており、上記複数のユーザインターフェイスは、上記タッチスクリーン上に表示されたとき、複数のユーザインターフェイスのそれぞれの入力領域が上記タッチスクリーンの異なるタッチセルに対応するように配列されている。
【００２０】
本発明の一側面において、上記プロセッサ部は、上記複数の入力領域を、上記複数のタッチセルのうち第１のグループのタッチセルに対応するように構成し、上記プライバシー部は、上記入力領域を、上記複数のタッチセルのうち第２のグループのタッチセルに対応するように再構成するものであり、上記第２のグループのタッチセルは上記第１のグループのタッチセルとは異なる。
【００２１】
本発明の一側面において、上記プライバシー部は、少なくとも２つのデータが上記タッチスクリーン上に入力される間にユーザインターフェイスの大きさ、形状及び位置のうち少なくとも一つを変化させるように構成されている。
【００２２】
本発明の一側面において、上記グラフィカルユーザインターフェイスの特性の変化は、ユーザインターフェイスのランダムな変化、ユーザ識別に基づくユーザインターフェイスの変化、ユーザの嗜好に基づくユーザインターフェイスの変化、及びオペレーターの嗜好に基づくユーザインターフェイスの変化のうち少なくとも一つの変化を含む。
【００２３】
本発明の一側面において、プライベートデータを入力するための装置は、データを入力するための複数のタッチセルを有するタッチスクリーンと、プライベートデータを入力するための複数のグラフィカルユーザインターフェイスを作成するように構成されており、それぞれの上記グラフィカルユーザインターフェイスが同一の入力機能を含むプライバシー部と、上記タッチスクリーン上に上記複数のグラフィカルユーザインターフェイスを同時に表示するように構成されている表示部と、を備える。
【００２４】
本発明の一側面において、上記プライバシー部は、上記複数の入力領域のうち、少なくとも２つの入力領域間で、同一でない高さ及び同一でない幅のうち少なくともいずれかを形成するように構成されている。
【００２５】
本発明の一側面において、上記プライバシー部は、上記複数の入力領域のそれぞれの入力領域のアスペクト比を変化させるように構成されている。
【００２６】
本発明の一側面において、本発明に係る方法は、タッチスクリーン上にプライベートデータを入力するための表示画面を作成する方法であって、上記タッチスクリーン上のグラフィカルユーザインターフェイスの空間的位置に対応する複数のタッチセルを含み、予め定められた操作のための表示を上記タッチスクリーン上に行なうための、複数の入力領域を有するグラフィカルユーザインターフェイスを作成するステップと、上記グラフィカルユーザインターフェイスに対応する上記タッチセルを変更するために、予め定められた操作のために上記タッチスクリーン上に表示される、上記グラフィカルユーザインターフェイスの特性を変化させるステップと、変化させたユーザインターフェイスを上記タッチスクリーン上に表示させるステップと、を含む。
【００２７】
本発明の一側面において、本発明に係る方法は、タッチスクリーン上にプライベートデータを入力する方法であって、上記プライベートデータは少なくとも二つの入力データを含み、上記プライベートデータを入力するための複数のグラフィカルユーザインターフェイスであって、それぞれの上記グラフィカルユーザインターフェイスが同一の入力機能を有するグラフィカルユーザインターフェイスを作成するステップと、上記タッチスクリーン上に上記複数のグラフィカルユーザインターフェイスを同時に表示するステップと、上記少なくとも二つの入力データのうち一つを入力するために、上記複数のグラフィカルユーザインターフェイスのうち一つのグラフィカルユーザインターフェイスの上記入力機能を用いるステップと、上記少なくとも二つの入力データのうち、上記入力機能を用いるステップで入力した入力データでは無いもう一方の入力データを入力するために、上記複数のグラフィカルユーザインターフェイスのうち、上記入力機能を用いるステップで用いたものとは異なる一つのグラフィカルユーザインターフェイスの上記入力機能を用いるステップと、を含む。
【００２８】
上述した目的及び関連する目的を達成するために、本発明は、以下に述べる特徴、及び、特に請求の範囲で指摘した特徴の全てを含む。本発明の具体例は、以下の説明及び付属の図面に詳細に記載されている。しかし、これらの具体例は、本発明が採用し得る原則の様々な手段のうちのわずかを示しているに過ぎない。本発明の他の目的、利点及び新たな特性は、図面と組み合わせて考慮される以下の本発明の詳細な説明とは別途採用されるであろう。
【発明の効果】
【００２９】
本発明による装置及び方法の効果は、タッチスクリーンのような入力デバイス上の、より優れたプライベートデータ入力を提供することである。これを達成する一つの方法は、グラフィカルユーザインターフェイスを、複数の入力領域を有するタッチスクリーン上に表示し、グラフィカルユーザインターフェイスに対応するタッチセルを変化させるようにタッチスクリーン上に表示されたグラフィカルユーザインターフェイスの特性を変化させることである。または、プライベートデータを入力するための複数のグラフィカルユーザインターフェイスは、グラフィカルユーザインターフェイス上に同時に表示されてもよい。そして、ユーザは入力データに用いるインターフェイスを変更してもよい。このように、本発明では、第三者がタッチスクリーンに入力されるデータを見抜くことが困難になるという効果を奏する。
【図面の簡単な説明】
【００３０】
【図１】従来のテンキーボードのレイアウトを示す図である。
【図２】情報表示装置に表示された図１に示す従来のテンキーボードを示す図である。
【図３】本発明の一実施形態に係るタッチスクリーン及びプライバシー機能を示す図である。
【図４】本発明の別の実施形態に係るタッチスクリーン及びプライバシー機能を示す図である。
【図５】本発明の別の実施形態に係るタッチスクリーン及びプライバシー機能を示す図である。
【図６】本発明の別の実施形態に係るタッチスクリーン及びプライバシー機能を示す図である。
【図７】本発明の別の実施形態に係るタッチスクリーン及びプライバシー機能を示す図である。
【図８】本発明の別の実施形態に係るタッチスクリーン及びプライバシー機能を示す図である。
【図９】本発明の別の実施形態に係るタッチスクリーン及びプライバシー機能を示す図である。
【図１０】本発明の別の実施形態に係るタッチスクリーン及びプライバシー機能を示す図である。
【図１１】本発明の別の実施形態に係るタッチスクリーン及びプライバシー機能を示す図である。
【図１２】本発明の別の実施形態に係るタッチスクリーン及びプライバシー機能を示す図である。
【図１３】本発明の別の実施形態に係るタッチスクリーン及びプライバシー機能を示す図である。
【図１４ａ】本発明の別の実施形態に係るタッチスクリーン及びプライバシー機能を示す図である。
【図１４ｂ】図１４ａの実施形態に係るタッチスクリーン及びプライバシー機能を示す図である。
【図１４ｃ】図１４ａの実施形態に係るタッチスクリーン及びプライバシー機能を示す図である。
【図１４ｄ】図１４ａの実施形態に係るタッチスクリーン及びプライバシー機能を示す図である。
【図１５】本発明によるプライバシー機能を実行するための典型的な装置のブロック図である。
【発明を実施するための形態】
【００３１】
図１に数値データ入力のための標準キーパッド５を示す。標準キーパッド５は、横に３列のキー、縦に４列のキーが配置されている。標準キーパッド上の数字キーの配置は固定されている（つまり、数字「５」において、常に、上に「２」があり、下に「８」があり、左に「４」があり、右に「６」がある）。標準キーパッドには最上段に数字「１」、「２」、「３」を表すキーがあり、そのすぐ下の段に数字「４」、「５」、「６」を表すキーがあり、そのすぐ下の段である最下段に数字「７」、「８」、「９」を表すキーがある。標準キーパッドは、さらに最下段に英数字「＊」、「０」及び「＃」を表すキーをも有している。
【００３２】
図２は、情報ディスプレイ６に表示されている標準キーパッド５を示している。情報ディスプレイ６は液晶ディスプレイ（ＬＣＤ）、有機ＥＬディスプレイ（ＯＬＥＤ）、プラズマディスプレイパネル（ＰＤＰ）、ブラウン管（ＣＲＴ）等であってもよい。情報ディスプレイ６のプライバシー機能は、例えば、例えば、ルーバー、ソフトウェア処理、追加ＬＣＤ、レンズの配置、視差バリアの配置、視差バリア及びレンズの配置等によって達成される。情報ディスプレイ６のプライバシー機能は、例えば、公衆ワイドビュー（つまり、ディスプレイ上の情報は広い視覚の範囲で認識できる）とプライベートナロービュー（つまり、ディスプレイ上の情報は、公衆ワイドビューより狭い視覚の範囲で認識できる）とを切り替え可能なものであってもよい。情報ディスプレイ６のプライバシー機能は、例えばプライベートモードが実現するように固定されてもよい。情報ディスプレイ６はタッチされた位置を認識できる。つまり、情報ディスプレイ６はタッチスクリーンを備えている。ディスプレイ上のタッチスクリーンは、抵抗型、容量型、フォトダイオードアレイのようにディスプレイに内蔵された光センサ、カメラモジュールのようにディスプレイへの外因的なものあってもよい。タッチスクリーンは連続的な一まとまりのタッチを認識できてもよい。タッチスクリーンは、複数の同時のタッチを認識できてもよい。
【００３３】
図３及び図４は、本発明の一実施形態に係るタッチスクリーン及びプライバシー機能を有する情報ディスプレイ６上の標準キーパッド５を示している。標準キーパッド５上のそれぞれのキーは統一された高さ及び統一された幅（同一の高さ及び同一の幅）を有しており、標準キーパッド５上のそれぞれのキーは幅及び高さが等しいアスペクト比を有している。図３は、標準キーパッド５上が４回連続してタッチされたことを示している。１回目から４回目のタッチは、バツ１、丸２、六角形３及び三角形４にて示されている。つまり、図３による個人用識別番号（ＰＩＮ）は「１３５８」である。図４は、標準キーパッド５上が４回連続してタッチされたことを示している。１回目から４回目のタッチは、バツ１、丸２、六角形３及び三角形４にて示されている。つまり、図４による個人用識別番号（ＰＩＮ）は「４６８０」である。図３及び図４を比較すると、図３及び図４中のタッチされた空間的位置は、情報ディスプレイ６に対する相対的位置が同じであるが、結果として入力された図３及び図４のＰＩＮは異なることが明らかである。情報ディスプレイ６は本発明の一実施形態に係るプライバシー機能を備えており、第三者がＰＩＮのキーストロークを直接見ることを防ぐことができる。しかし、キーパッドの位置が情報ディスプレイ６上に固定されていては、第三者はキーストロークのパターンを介して入力されたＰＩＮを見抜くことができる。図３及び図４に示すように、キーパッドの位置を情報ディスプレイ６上の異なる空間的位置に移動させることによって、第三者がキーストロークを介してＰＩＮの入力を明確に識別することを妨げることができる。
【００３４】
図５は、本発明の別の実施形態に係るタッチスクリーン及びプライバシー機能を有する情報ディスプレイ６上のキーパッド５ａを示している。図５に示すキーパッド５ａのキーの配置は標準的であり、キーパッド５ａのそれぞれのキーは統一された高さ及び統一された幅を有している。キーパッド５ａ上のそれぞれのキーは、幅が高さより大きいアスペクト比を有している。図５は、キーパッド５ａ上が４回連続してタッチされたことを示している。１回目から４回目のタッチは、バツ１、丸２、六角形３及び三角形４にて示されている。つまり、図５による個人用識別番号（ＰＩＮ）は「１２５５」である。情報ディスプレイ６に対して、図５及び図３のタッチされた空間的位置は同じであるが、結果として入力された図５のＰＩＮと図３のＰＩＮとは異なる。図３及び図５から分かるように、標準的な配置のキーを有するキーパッドの形状及び大きさを変えることで、第三者がキーストロークを介してＰＩＮの入力を明確に識別することを妨げることができる。
【００３５】
図６は、本発明の別の実施形態に係るタッチスクリーン及びプライバシー機能を有する情報ディスプレイ６上のキーパッド５ａを示している。図６に示すキーパッド５ａのキーの配置は標準的である。キーパッド５ａのそれぞれのキーは統一された高さ及び統一された幅を有しており、キーパッド５ａ上のそれぞれのキーは、幅が高さより大きいアスペクト比を有している。図６は、キーパッド５ａ上が４回連続してタッチされたことを示している。１回目から４回目のタッチは、バツ１、丸２、六角形３及び三角形４にて示されている。つまり、図６による個人用識別番号（ＰＩＮ）は「２３６９」である。情報ディスプレイ６に対して、図６及び図３のタッチされた空間的位置は同じであるが、結果として入力された図６のＰＩＮと図３のＰＩＮとは異なる。図３及び図６から分かるように、標準的な配置のキーを有するキーパッドの形状、大きさ及び／又は位置を変えることで、第三者がキーストロークを介してＰＩＮの入力を明確に識別することを妨げることができる。
【００３６】
図７は、本発明の別の実施形態に係るタッチスクリーン及びプライバシー機能を有する情報ディスプレイ６上のキーパッド５ｂを示している。図７に示すキーパッド５ｂのキーの配置は標準的であり、キーパッド５ｂのそれぞれのキーは統一された高さ及び統一された幅を有している。キーパッド５ｂ上のそれぞれのキーは、高さが幅より大きいアスペクト比を有している。図７は、キーパッド５ｂ上が４回連続してタッチされたことを示している。１回目から４回目のタッチは、バツ１、丸２、六角形３及び三角形４にて示されている。つまり、図７による個人用識別番号（ＰＩＮ）は「４６５８」である。情報ディスプレイ６に対して、図７及び図３のタッチされた空間的位置は同じであるが、結果として入力された図７のＰＩＮと図３のＰＩＮとは異なる。図３及び図７から分かるように、標準的な配置のキーを有するキーパッドの形状及び大きさを変えることで、第三者がキーストロークを介してＰＩＮの入力を明確に識別することを妨げることができる。
【００３７】
図８は、本発明の別の実施形態に係るタッチスクリーン及びプライバシー機能を有する情報ディスプレイ６上のキーパッド５ｃを示している。図８に示すキーパッド５ｃのキーの配置は標準的であり、キーパッド５ｃのそれぞれのキーは統一された高さ及び統一されていない幅を有している。キーパッド５ｃ上のそれぞれのキーは、高さが幅より大きいアスペクト比を有している。図８は、キーパッド５ｃ上が４回連続してタッチされたことを示している。１回目から４回目のタッチは、バツ１、丸２、六角形３及び三角形４にて示されている。つまり、図８による個人用識別番号（ＰＩＮ）は「１２４７」である。情報ディスプレイ６に対して、図８及び図３のタッチされた空間的位置は同じであるが、結果として入力された図８のＰＩＮと図３のＰＩＮとは異なる。図３及び図８から分かるように、標準的な配置のキーを有するキーパッドの形状及び大きさを変えることで、第三者がキーストロークを介してＰＩＮの入力を明確に識別することを妨げることができる。
【００３８】
図９は、本発明の別の実施形態に係るタッチスクリーン及びプライバシー機能を有する情報ディスプレイ６上のキーパッド５ｄを示している。図９に示すキーパッド５ｄのキーの配置は標準的であり、キーパッド５ｄのそれぞれのキーは統一されていない（同一でない）高さ及び統一された幅を有している。キーパッド５ｄ上のそれぞれのキーは、高さが幅より大きいアスペクト比を有している。図９は、キーパッド５ｄ上が４回連続してタッチされたことを示している。１回目から４回目のタッチは、バツ１、丸２、六角形３及び三角形４にて示されている。つまり、図９による個人用識別番号（ＰＩＮ）は「４６８８」である。情報ディスプレイ６に対して、図９及び図３のタッチされた空間的位置は同じであるが、結果として入力された図９のＰＩＮと図３のＰＩＮとは異なる。図３及び図９から分かるように、標準的な配置のキーを有するキーパッドの形状及び大きさを変えることで、第三者がキーストロークを介してＰＩＮの入力を明確に識別することを妨げることができる。
【００３９】
図１０は、本発明の別の実施形態に係るタッチスクリーン及びプライバシー機能を有する情報ディスプレイ６上のキーパッド５ｅを示している。図１０に示すキーパッド５ｅのキーの配置は標準的であり、キーパッド５ｅのそれぞれのキーは統一されていない高さ及び統一されていない幅（同一でない高さ及び同一でない幅）を有している。図１０は、キーパッド５ｅ上が４回連続してタッチされたことを示している。１回目から４回目のタッチは、バツ１、丸２、六角形３及び三角形４にて示されている。つまり、図１０による個人用識別番号（ＰＩＮ）は「２２５８」である。情報ディスプレイ６に対して、図１０及び図３のタッチされた空間的位置は同じであるが、結果として入力された図１０のＰＩＮと図３のＰＩＮとは異なる。図３及び図１０から分かるように、標準的な配置のキーを有するキーパッドの形状及び大きさを変えることで、第三者がキーストロークを介してＰＩＮの入力を明確に識別することを妨げることができる。
【００４０】
従って、図３、５、７及び９に示す複数の入力領域は、第１のグループのタッチセルに対応しており、図４、６、８及び１０に示す複数の入力領域は、第２のグループのタッチセルに対応しており、第２のグループのタッチセルは第１のグループのタッチセルとは異なる。
【００４１】
図１１は、本発明の別の実施形態に係るタッチスクリーン及びプライバシー機能を有する情報ディスプレイ６に表示された２つの同一のキーパッド５及び５’を示している。図１１に示すキーパッド５及び５’のキーの配置は標準的である。キーパッド５及び５’のそれぞれのキーは統一された高さ及び統一された幅を有しており、それぞれのキーは幅と高さが等しいアスペクト比を有している。図１１は、キーパッド５及び５’の両方を利用して４回連続したタッチがされたことを示している。１回目から４回目のタッチは、バツ１、丸２、六角形３及び三角形４にて示されている。つまり、図１１による個人用識別番号（ＰＩＮ）は「２１６９」である。図１１のＰＩＮ「２１６９」を形成する「２」、「６」、「９」はキーパッド５’由来であり、「１」はキーパッド５由来である。情報ディスプレイ６に対して、図１１及び図３のタッチされた空間的位置は同じであるが、結果として入力された図１１のＰＩＮと図３のＰＩＮとは異なる。図３及び図１１から分かるように、同じキーパッドの複数のコピーを表示することで、ユーザは複数の異なる方法で同じＰＩＮを入力することができる。結果として、標準的なキーの配列を有する複数のキーパッドによって、第三者がキーストロークを介してＰＩＮの入力を明確に識別することを妨げることができる。
【００４２】
図１２は、本発明の別の実施形態に係るタッチスクリーン及びプライバシー機能を有する情報ディスプレイ６上の、６つの同じキーパッド５１、５２、５３、５４、５５及び５６を示している。図１２の全てのキーパッド５１、５２、５３、５４、５５及び５６のキーの配置は標準的である。キーパッド５１、５２、５３、５４、５５及び５６上のそれぞれのキーは統一された高さ及び統一された幅を有しており、それぞれのキーは幅と高さが等しいアスペクト比を有している。ユーザが自由にキーパッド５１、５２、５３、５４、５５及び５６の中からＰＩＮの入力に利用するキーを選ぶ場合、ユーザはＰＩＮの入力を複数の方法で行なうことになる。図３及び図１２から分かるように、同じキーパッドの複数のコピーを複数表示することで、ユーザは複数の異なる方法で同じＰＩＮを入力することができる。一般に、情報ディスプレイ上に表示されるキーパッドがｍ個であり、ＰＩＮに含まれる数字の個数がｎ個のであれば、ＰＩＮの入力方法の数はｍｎ（ｍのｎ乗）となる。結果として、標準的なキーの配列を有する複数のキーパッドによって、第三者はキーストロークを介してＰＩＮの入力を明確に識別することができない。
【００４３】
図１３は、本発明の別の実施形態に係るタッチスクリーン及びプライバシー機能を有する情報ディスプレイ６上の、４つの同一でないキーパッド５、５ａ、５ｃ及び５ｄを示している。図１３の全てのキーパッド５、５ａ、５ｃ及び５ｄのキーの配置は標準的である。ユーザが自由にキーパッド５、５ａ、５ｃ及び５ｄの中からＰＩＮの入力に利用するキーを選ぶ場合、ユーザはＰＩＮの入力を複数の方法で行なうことになる。図３及び図１３から分かるように、キーパッドを複数表示することで、ユーザは複数の異なる方法で同じＰＩＮを入力することができる。結果として、標準的なキーの配列を有する複数のキーパッドによって、第三者がキーストロークを介してＰＩＮの入力を明確に識別することを妨げることができる。ＰＩＮの入力において、一般的に、本発明によるプライバシー機能及びタッチスクリーンを有する情報ディスプレイ６上に表示されるキーパッドは、キーパッド５、５ａ、５ｂ、５ｃ、５ｄ及び５ｅの中からいくつ用いてもよい。
【００４４】
図１４ａ、図１４ｂ、図１４ｃ及び図１４ｄは本発明の別の実施形態に係るタッチスクリーン及びプライバシー機能を有する情報ディスプレイ６上の、キーパッド５を示している。図１４ａ、図１４ｂ、図１４ｃ及び図１４ｄのキーパッド５のキーの配置は標準的であり、それぞれのキーは統一された高さ及び統一された幅を有している。図１４ａ、図１４ｂ、図１４ｃ及び図１４ｄはキーパッド５上が４回連続してタッチされたことを示している。最初のタッチは図１４ａにバツ１にて示されており、２回目のタッチは図１４ｂに丸２にて示されており、３回目のタッチは図１４ｃに六角形３にて示されており、４回目のタッチは図１４ｄに三角形４にて示されている。つまり、図１４ａ、図１４ｂ、図１４ｃ及び図１４ｄによる個人用識別番号（ＰＩＮ）は「１５９２」である。情報ディスプレイ６に対して、図１４ａ、図１４ｂ、図１４ｃ及び図１４ｄ及び図３のタッチされた空間的位置は同じであるが、結果として入力された図１４ａ、図１４ｂ、図１４ｃ及び図１４ｄのＰＩＮと図３のＰＩＮとは異なる。図３及び図１４ａ、図１４ｂ、図１４ｃ及び図１４ｄから分かるように、キーストローク間にキーパッドの位置を変えることで、第三者がキーストロークを介してＰＩＮの入力を明確に識別することを妨げることができる。図１４ａ、図１４ｂ、図１４ｃ及び／又は図１４ｄに示されるキーパッド５は、キーパッド５ａ、５ｂ、５ｃ、５ｄ及び／又は５ｅのいずれに置換して用いることもできる。一般に、キーパッドの大きさ、位置又は形状はユーザのキーストロークのうちの１回又はそれ以上の間隔で変化させてもよい。つまり、図１４ａから図１４ｂにおいて、入力領域を第１のグループのタッチセルから第２のグループのタッチセルに再構成されてもよい。
【００４５】
図３〜図１４に示された具体例はＰＩＮ入力のプライバシーを強化するための様々な方法を表現している。ＰＩＮ入力のための正確な方法は、例えば、ユーザによって異なってもよいし（例えば、ユーザ識別に基づいてユーザインターフェイスを変更する）、ＰＩＮ入力を要求している機器によってランダムに選択されてもよいし、ユーザによって予め定められていてもよいし（例えば、ユーザの嗜好に基づいてユーザインターフェイスを変更させる）、ＰＩＮに関連付けられた支払カードによって予め定められてもよい（例えば、オペレーターの嗜好に基づいてユーザインターフェイスを変更させる）。これらの手法は単独でもよいし複数を組み合わせてもよい。
【００４６】
ユーザ毎にキーパッドを予め定めることに関していえば、キーパッドレイアウトは、データ入力に使用する機器においてユーザによって予め定めてもよいし（例えば、プライベート情報を入力することに先んじて）、及び／又は（例えば、システムを最初に使用する前のｗｅｂインターフェイスを用いてシステムをセットアップする間に）、対応するサービスプロバイダーを介してユーザによって予め定められていてもよい。また、キーパッドレイアウトを表示する方法は、データを入力する際に機器とともに用いられるユーザのカードによって異ならせる方法であってもよい（例えば、カードに記録されているユーザＩＤに基づいて）。
【００４７】
いくつかの実施形態において、グラフィカルユーザインターフェイスの作成は、キーパッドとしてのグラフィカルユーザインターフェイスを作成することを含む。
【００４８】
いくつかの実施形態において、グラフィカルユーザインターフェイスの特性の変化させることは、タッチスクリーン上のユーザインターフェイスの空間的位置の変更を含む。
【００４９】
いくつかの実施形態において、グラフィカルユーザインターフェイスの特性の変化させることは、それぞれの入力領域のアスペクト比の変更を含む。
【００５０】
いくつかの実施形態において、それぞれの入力領域のアスペクト比を変更することは、それぞれの入力領域の幅をそれぞれの入力領域の高さより大きく形成することを含む。
【００５１】
いくつかの実施形態において、それぞれの入力領域のアスペクト比を変更することは、それぞれの入力領域の高さをそれぞれの入力領域の幅より大きく形成することを含む。
【００５２】
いくつかの実施形態において、グラフィカルユーザインターフェイスの特性を変化させることは、複数の入力領域のうち少なくとも二つの入力領域間で、入力領域の幅及び入力領域の高さのうち少なくとも一つを変更することを含む。
【００５３】
いくつかの実施形態において、グラフィカルユーザインターフェイスの特性を変化させることは、同一の入力領域（同一の入力機能）を有する複数のユーザインターフェイスを作成すること、及び、複数のそれぞれのユーザインターフェイスの入力領域のそれぞれが、タッチスクリーン上の異なるタッチセルに対応するように、タッチスクリーンの異なる部分にある複数のユーザインターフェイスのそれぞれを表示することを含む。
【００５４】
いくつかの実施形態は、互いに異なるように複数のユーザインターフェイスを作成することをさらに含む。
【００５５】
いくつかの実施形態は、複数のユーザインターフェイスのうち異なるユーザインターフェイス上にデータを入力することをさらに含む。
【００５６】
いくつかの実施形態は、それぞれのデータ入力の後にタッチスクリーン上のユーザインターフェイスの位置を変更することを含む。
【００５７】
いくつかの実施形態は、タッチスクリーン上に少なくとも二つのデータ入力がされる間にユーザインターフェイスの大きさ、形状及び位置のうち少なくとも一つを変えることをさらに含む。
【００５８】
本発明のいくつかの実施形態は、タッチスクリーンの表面に対する法線の予め定められた角度より広い角度からスクリーンが見られることを防ぐことをさらに含む。
【００５９】
いくつかの実施形態において、グラフィカルユーザインターフェイスの特性を変化させることは、変化させる属性のランダムな選択、ユーザ識別に基づいて変化させる属性の選択、予め定められたユーザの嗜好に基づいて変化させる属性の選択、及び予め定められたオペレーターの嗜好に基づいて変化させる属性の選択のうちの少なくとも一つを含む。
【００６０】
いくつかの実施形態において、グラフィカルユーザインターフェイスの作成は、複数のタッチセルのうち第１のグループのタッチセルに対応する複数の入力領域を構成することを含み、グラフィカルユーザインターフェイスの特性を変化させることは、複数のタッチセルのうち第２のグループのタッチセルに対応する入力領域に再構成することを含み、第２のグループのタッチセルは第１のグループのタッチセルとは異なる。
【００６１】
ここで説明した具体例に関して、プライベートデータ入力システムのユーザによる容認可能性（アクセプタビリティ（ａｃｃｅｐｔａｂｉｌｉｔｙ））と、プライベートデータ入力システムにより提供される付加的なセキュリティとはトレードオフの関係にある。一つの極端な場合では、データ入力システムを変更しなければ、結果として、ユーザによる受け入れの問題は起こらない。また、別の極端な場合では、非常に安全なデータ入力システムは、利用するには複雑であるため、ユーザはほとんど受け入れない。ここで説明した実施形態は、ユーザによる容認可能性とプライベートデータ入力にとって付加的なセキュリティの程度との間の、様々な異なるトレードオフのレベルを包含している。最も好適な実施形態はアプリケーションの性質、ひいては、ユーザによる容認可能性と付加的なセキュリティの程度との間のトレードオフのポイントに依存する。
【００６２】
広くユーザに受け入れられ、比較的低い付加的なセキュリティを有するプライベートデータ入力システムの一例は、全てのユーザに同じデザインのキーパッドを用い、情報ディスプレイ６上でキーパッドの位置をランダムな空間的位置に簡単に移動させる形態である。この高いユーザ容認性及び低い付加的なセキュリティのプライベートデータ入力システムは、ここに説明した図３及び図４に表されている。
【００６３】
比較的低いユーザ容認性及び非常に高い付加的なセキュリティを有するプライベートデータ入力システムの一例は、それぞれのキーストロークの際にランダムな大きさとなる、異なるキーパッドのタイプ（つまり、図５、図６、図７、図８、図９及び図１０に示されるキーパッドのタイプ）を用いる形態である。情報ディスプレイ６上のそれぞれのキーパッドの空間的位置もまたランダムに選ばれる。
【００６４】
図１５は、本発明の一実施形態に係る典型的なプライバシー装置６０の簡易ブロック図である。ここで説明するように、プライバシー装置６０は、例えば、個人識別番号等のプライベート情報を、他のプライベート情報にアクセスする前に入力するために用いることができる。図示していないが、プライバシー装置６０は、例えば、従来の方法で情報を伝達するために、セントラルサーバ等の他の電子機器に通信可能に接続されていてもよい。プライバシー装置６０は、指示を実行するためのプロセッシング部６２を含んでよく、プロセッシング部（プロセッサ部）６２はプロセッサ６４（例えば、ＣＰＵ、マイクロコントローラ、マイクロプロセッサ）、及び、コンピュータ実行コード及びそのような実行コードに関連するデータを蓄積するためのメモリ６６（例えば、揮発性及び不揮発性のＲＡＭ、ＲＯＭ、磁気媒体等）を含んでいる。
【００６５】
プロセッサ６４によりコンピュータ実行コードが処理されると、当該コンピュータ実行コードはプロセッサ６４にグラフィカルユーザインターフェイスを作成させる。このグラフィカルユーザインターフェイスは、例えば、本明細書で示し、説明した、数字又は英数字キー等であり得る。プロセッシング部６２により作成されたユーザインターフェイスのデータは、本発明に従ってプライバシー部６８に提供される。プライバシー部６８はプロセッシング部６２に動作的に連結されており、権限の無い者がユーザによって入力された情報を間接的に確認することを妨げるプライバシー機能を実行するように構成されている。例えば、これまでに説明したように、タッチスクリーン６とも動作的に連結されているプライバシー部６８は、タッチスクリーン６上に表示されているユーザインターフェイスの特性の少なくとも一つを、グラフィカルユーザインターフェイスの複数の入力領域がタッチスクリーンのタッチセルに対応して変化するように変化させてもよい（例えば、特性の変化は、それぞれのデータが入力される間に、少なくともいくつかの入力領域が異なるタッチセルに対応するように、ユーザインターフェイスの入力領域の幅又は高さを変化させること、それぞれの入力領域が異なるタッチセルに対応するようにそれぞれのデータ入力の後にユーザインターフェイスをランダムに移動させること、タッチスクリーン上に同時に表示される複数のユーザインターフェイスを作成すること等を含む）。このような変化は、プロセッシング部６２により提供されるユーザインターフェイスデータの操作により達成される。プライバシー部６８から提供された、変更されたユーザインターフェイスは、タッチスクリーン６が使用するデータを調整する表示部７０に提供される。そして、タッチスクリーン６は変更されたユーザインターフェイスを表示する。
【００６６】
プライバシー部６８により提供される機能は、例えば専用の回路を介してハードウェア中で実行されてもよいし、ソフトウェア（例えば、プロセッシング部６２によって実行されるソフトウェア）によって実行されてもよいし、ハードウェア及びソフトウェアの組み合わせによって実行されてもよい。つまり、「プライバシー部」という記載は、ハードウェア回路、ソフトウェア機能、及びそれらの組み合わせを含む。
【００６７】
コンピュータプログラミング、特にデータ入力又は他の電子機器のアイテムのアプリケーションプログラミングの当業者にとって、ここに説明した機能を動作させ実行させるための電子機器のプログラムをどのように行なうかは容易に理解できるであろう。従って、プログラミングコードの詳細については、簡便のため、省略している。
【００６８】
本発明は、以下のように表現することもできる。
【００６９】
本実施形態の一側面において、プライベートにデータを入力するための装置は、データを入力するための複数のタッチセルを有するタッチスクリーンと、予め定められた操作のための表示を上記タッチスクリーン上に行なうための、複数の入力領域を含むグラフィカルユーザインターフェイスを作成するように構成されているプロセッサ部と、上記プロセッサ部及び上記タッチスクリーンに動作的に連結されたプライバシー部と、を備え、上記複数のタッチセルと上記タッチスクリーン上のグラフィカルユーザインターフェイスとは空間的位置に対応しており、上記プライバシー部は、上記グラフィカルユーザインターフェイスに対応する上記タッチセルを変更するために、予め定められた操作のために上記タッチスクリーン上に表示される、上記グラフィカルユーザインターフェイスの特性を変化させるように構成されている。
【００７０】
本実施形態の一側面において、上記グラフィカルユーザインターフェイスはキーパッドである。
【００７１】
本実施形態の一側面において、上記プライバシー部は、上記複数の入力領域のそれぞれの入力領域の幅をそれぞれの入力領域の高さより大きくするように構成されている。
【００７２】
本実施形態の一側面において、上記プライバシー部は、上記複数の入力領域のそれぞれの入力領域の高さをそれぞれの入力領域の幅より大きくするように構成されている。
【００７３】
本実施形態の一側面において、上記複数のユーザインターフェイスは、グラフィック的に互いに異なる。
【００７４】
本実施形態の一側面において、上記プライバシー部は、データの入力毎に上記複数のユーザインターフェイスから異なるユーザインターフェイスを選択するように構成されている。
【００７５】
本実施形態の一側面において、上記プライバシー部は、それぞれのデータ入力の後に上記タッチスクリーン上の上記ユーザインターフェイスの位置を変化させるように構成されている。
【００７６】
本実施形態の一側面において、上記プライバシー部は、上記複数のグラフィカルユーザインターフェイスの特性を変化させるように動作可能である。
【００７７】
本実施形態の一側面において、上記タッチスクリーンの表面の法線に対して予め定められた角度より広い角度からスクリーンが見られることを防ぐプライバシー装置をさらに備えている。
【００７８】
本発明の好ましい実施形態に関して示し、説明してきたが、本明細書を読み、理解する当業者が同価値及び適宜修正したものに想到できることは明らかである。本発明は、このような全ての同価値及び適宜修正したものを含み、特許請求の範囲にのみ限定される。
【産業上の利用可能性】
【００７９】
本発明に係る方法及び装置は、タッチスクリーン上にて、標準的なキーパッドレイアウトを用いたプライベートデータ入力に利用することができる。このように、第三者により入力されたデータを見抜かれるリスクを最小限に抑えて、端末等に情報を安全に入力できる。
【図１】
2011018321.tif 000003
【図２】
2011018321.tif 000004
【図３】
2011018321.tif 000005
【図４】
2011018321.tif 000006
【図５】
2011018321.tif 000007
【図６】
2011018321.tif 000008
【図７】
2011018321.tif 000009
【図８】
2011018321.tif 000010
【図９】
2011018321.tif 000011
【図１０】
2011018321.tif 000012
【図１１】
2011018321.tif 000013
【図１２】
2011018321.tif 000014
【図１３】
2011018321.tif 000015
【図１４ａ】
2011018321.tif 000016
【図１４ｂ】
2011018321.tif 000017
【図１４ｃ】
2011018321.tif 000018
【図１４ｄ】
2011018321.tif 000019
【図１５】
2011018321.tif 000020